(57)【要約】      （修正有）【課題】スリーブ及び放熱コップが固定され、相対的に回転又は変位しにくいＬＥＤライトを提供する。【解決手段】光透過型カバー６と、光源モジュール４と、放熱部と、を含み、光源モジュールは、放熱部材の上端部に設置されて放熱部材の上端部方向に発光し、光透過型カバーは、光源モジュールの上方に設けられて放熱部材の上端部に接続され、光源モジュールが発した光は、光透過型カバーを透過し、放熱部材は、放熱コップ２１とスリーブ２２とを含み、放熱コップは、上端部に設置された包囲部と、包囲部に一体に接続された本体と、を含み、本体の内側壁は、非回転面であり、スリーブの上部の外側壁は、本体の内側壁に密着して接続されている。本体の底部に放熱コップの内側壁から突出して本体の底部一体に接続されている留め金２１５が設けられ、スリーブの外側壁に環状溝が設けられ、留め金は、環状溝に接続されている。【選択図】図４
0003219812.tif 000002
【実用新案登録請求の範囲】
【請求項１】
光透過型カバーと、光源モジュールと、放熱部と、を含み、
前記光源モジュールは、放熱部の上端部に設置されてかつ前記放熱部の上端部方向に発光し、
前記光透過型カバーは、前記光源モジュールの上方に設けられてかつ前記放熱部の上端部に接続されており、
前記光源モジュールが発した光は、前記光透過型カバーを透過し、
前記放熱部は、放熱コップと、スリーブと、を含み、
放熱コップは、上端部に位置する包囲部と、一体になるように前記包囲部に接続された本体と、を含み、
前記本体の内側壁は、非回転面であり、
前記スリーブの上部の外側壁は、前記本体の内側壁に密着してかつ接続されている
ことを特徴とするＬＥＤライト。
【請求項２】
さらに、ライトヘッドと、駆動モジュールと、締結部材と、を含み、
前記ライトヘッドは、前記スリーブの下部に接続されており、
前記光源モジュールは、前記締結部材の接続により前記スリーブの上方に設置されており、
前記駆動モジュールは、前記スリーブ内に設置されている
ことを特徴とする請求項１に記載のＬＥＤライト。
【請求項３】
前記本体の断面の内環線が円形ではなく、楕円形である
ことを特徴とする請求項１または２に記載のＬＥＤライト。
【請求項４】
前記本体の断面の内環線が円形ではなく、多角形である
ことを特徴とする請求項１または２に記載のＬＥＤライト。
【請求項５】
前記放熱コップは、材質が金属であり、
前記スリーブは、材質がプラスチックであり、
前記放熱コップ及び前記スリーブは、一体成形されている
ことを特徴とする請求項１から４のいずれか一項に記載のＬＥＤライト。
【請求項６】
前記本体は、厚さが上から下に次第に小さくなる
ことを特徴とする請求項１から５のいずれか一項に記載のＬＥＤライト。
【請求項７】
前記包囲部は、厚さが前記本体の上端部の厚さより小さい
ことを特徴とする請求項１から６のいずれか一項に記載のＬＥＤライト。
【請求項８】
前記包囲部は、外側面が前記本体の外側面に接続されている
ことを特徴とする請求項７に記載のＬＥＤライト。
【請求項９】
前記本体の底部に前記放熱コップの内側壁から突出してかつ一体になるように前記本体の底部に接続されている留め金が設けられている
ことを特徴とする請求項１から８のいずれか一項に記載のＬＥＤライト。
【請求項１０】
前記スリーブの外側壁に環状溝が設けられており、
前記留め金は、前記環状溝内に接続されている
ことを特徴とする請求項９に記載のＬＥＤライト。
【考案の詳細な説明】
【技術分野】
【０００１】
本考案は、照明技術分野に属し、特にＬＥＤライトに関する。
【背景技術】
【０００２】
現在、ＬＥＤチップ製造及びパッキング技術が益々成熟してくることに伴い、ＬＥＤ部品のコストが大幅に低下し、幅広く応用されている。ＬＥＤ照明分野において、省エネ及び耐久性の優位性が示されるように、様々なＬＥＤライトは市場に出回ている。たくさんの製品の中に、ＬＥＤチップが稼働の際に直ちに放熱するために、通常ＬＥＤライトに金属材質の放熱コップを加設する。駆動モジュールが放熱コップと絶縁に設置する必要のあるため、通常、放熱コップ内にプラスチック材質のスリーブを挿入する。スリーブの外側壁は、放熱コップの内側壁に密着するように設置されている。駆動モジュールはスリーブ内に収納される。
【考案の概要】
【考案が解決しようとする課題】
【０００３】
しかしながら、ＬＥＤライトが稼働する際に大量の熱を生成するため、ライト全体の温度がわりに高い。使用しない時ＬＥＤライトを消す場合、ＬＥＤライトの温度は、次第に環境温度まで下がる。従って、ＬＥＤライトは、つけると消すの使用状態により絶えずに冷熱循環が生じてしまう。スリーブ及び放熱コップは、異なる材質で製造されるため、両者の接続面が絶えずに冷熱循環過程に剥離し、さらに両者の間の緩みが生じる可能性がある。従来の市場におけるＬＥＤライトは、その放熱コップの断面の内環線が円形を呈する。つまり、その放熱コップは、内側壁が回転面であるため、スリーブの外側壁との間で緩んだ後に相対的に回転しやすくなる。従って、ＬＥＤライトの交換しにくくなり、安全上の問題を引き起こす可能性がある。スリーブ及び放熱コップが相対的に固定して相対的に回転又は変位しにくいＬＥＤライトを早急に提供する必要がる。
【課題を解決するための手段】
【０００４】
本考案の目的は、従来の技術的欠陥を克服してＬＥＤライトを提供することにある。本考案は、上記の技術的問題を解決するために、以下の技術的手段を採用する。ＬＥＤライトは、光透過型カバーと、光源モジュールと、放熱部と、を含む。上記光源モジュールは、放熱部の上端部に設置されてかつ上記放熱部の上端部方向に発光する。上記光透過型カバーは、上記光源モジュールの上方に設けられてかつ上記放熱部の上端部に接続されている。上記光源モジュールが発した光は、上記光透過型カバーを透過する。上記放熱部は、放熱コップと、スリーブと、を含む。上記放熱コップは、上端部に位置する包囲部と、一体になるように上記包囲部に接続された本体と、を含む。上記本体の内側壁は、非回転面である。上記スリーブの上部の外側壁は、上記本体の内側壁に密着してかつ接続されている。
【０００５】
本考案は、以下の技術的手段によりさらに改善される。
ＬＥＤライトは、さらに、ライトヘッドと、駆動モジュールと、締結部材と、を含む。上記ライトヘッドは、上記スリーブの下部に接続されている。上記光源モジュールは、上記締結部材の接続により上記スリーブの上端部に設置されている。上記駆動モジュールは、上記上記スリーブ内に設置されている。
【０００６】
さらに、上記本体の断面の内環線が円形ではなく、楕円形である。さらに、上記本体の断面の内環線が円形ではなく、多角形である。さらに、上記放熱コップは、材質が金属である。上記スリーブは、材質がプラスチックである。上記放熱コップ及び上記スリーブは、一体に成形されている。
【０００７】
さらに、上記本体は、厚さが上から下に次第に小さくなる。さらに、上記包囲部は、厚さが上記本体の上端部の厚さより小さい。さらに、上記包囲部は、外側面が上記本体の外側面に接続されている。さらに、上記本体の底部に上記放熱コップの内側壁から突出してかつ一体になるように上記本体の底部に接続されている留め金が設けられている。さらに、上記スリーブの外側壁に環状溝が設けられている。上記留め金は、上記環状溝内に接続されている。
【考案の効果】
【０００８】
本考案は、従来技術に比べ、以下の長所を有する：本体の内側壁を非回転面に設置することにより、上記スリーブの上部の外側壁が上記本体の内側壁に密着してかつ接続されているため、スリーブと放熱コップとの間に相対回転が生じにくくなる。また、本体の底部に留め金を設置することにより、留め金は、一体になるように上記スリーブの環状溝内に接続されている。それによって、スリーブ及び放熱板は、上下方向にも相対的に安定するため、相対的に変位が生じにくい。上記スリーブ及び上記放熱コップは、上下方向だけではなくまた左右方向にも安定するため、相対的に回転又は変位が生じない。
【図面の簡単な説明】
【０００９】
【図１】本考案実施例１によるＬＥＤライトの組立て概略図である。
【図２】図１の分解図である。
【図３】図１の放熱部の分解図である。
【図４】図１の縦方向における断面図である。
【図５】放熱コップの構造概略図である。
【図６】スリーブの構造概略図である。
【図７】図５の前面図である。
【図８】図７の横方向における断面図である。
【図９】本考案実施例２による放熱コップの横方向における断面図である。
【考案を実施するための形態】
【００１０】
以下、図面及び実施例を結合させて本考案をより詳細に説明する。
（実施形態１）
【００１１】
図１から図５に示されているように、ＬＥＤライトは、光透過型カバー６と、光源モジュール４と、放熱部２と、ライトヘッド１と、駆動モジュール３と、締結部材５と、を含む。上記光源モジュール４は、放熱部２の上端部に設置されてかつ上記放熱部２の上端部方向に発光する。上記光透過型カバー６は、上記光源モジュール４の上方に設けられてかつ上記放熱部２の上端部に接続されている。上記光源モジュール４が発した光は、上記光透過型カバー６を透過する。実際の使用要件に応じて、上記光透過型カバー６は、透明なものであってもよく半透明なものであってもよい。その外形は、半球形状であってもよくまた梨形等の別の形状であってもよい。本実施例において好ましくは、半透明なもので半球形状である。上記放熱部２は、放熱コップ２１と、スリーブ２２と、を含む。上記スリーブ２２は、上部が上記放熱コップ２１内に嵌設されている。上記放熱コップ２１は、上端部に位置する包囲部２１０と、一体になるように上記包囲部２１０に接続された本体２１１と、を含む。上記本体２１１の内側壁２１２が非回転面である。上記スリーブ２２の上部の外側壁２２１は、上記２１１の内側壁２１２に密着してかつ接続されている。上記本体２１１の内側壁２１２が非回転面であるため、スリーブ２２及び放熱コップ２１は、相対的に回転しにくくなる。上記ライトヘッド１は、上記スリーブ２２の下部に接続されている。上記光源モジュール４は、上記締結部材５の接続により上記スリーブ２２の上方に設置されている。上記駆動モジュール３は、上記上記スリーブ２２内に設置されている。
【００１２】
図１から図５に示されているように、上記放熱コップ２１は、材質が金属であり、一体成形されている。上記包囲部２１０の内側面に、さらに短冊部２１３が設置されている。上記光透過型カバー６の外側面の底部に短冊部２１３に対応した位置に対応するカードスロット（図に示されてない）が設けられている。組立て際に、上記短冊部２１３は、上記カードスロット内に係合されている。それによって、光透過型カバー６は、しっかりに上記放熱部２に固定して接続されている。上記包囲部２１０は、厚さが上記本体２１１の上端部の厚さより小さいく、その外側面が上記本体２１１の外側面に接続されている。上記本体２１１は、厚さが上から下に次第に小さくなる。上記本体２１１の上端部に台面２１７が形成されている。上記光源モジュール４は、周辺が該台面２１７に熱間的に接続されているため、稼働する際に熱が放熱コップ２１により外へ迅速に伝導されることができる。放熱効果を強化するために、本体２１１の外側面に複数の放熱フィン２１４が連続的に設置されている。これらの放熱フィン２１４は、放熱コップ２１と一体成形され、放熱コップ２１の放熱面積を大幅に増やすため、放熱コップ２１の放熱効果を確保している。
【００１３】
図４から図６に示されているように、上記スリーブ２２は、材質がプラスチックであり、一体に成形され、中空状を呈し、収納キャビティ２２０を形成する。駆動モジュール３は、該収納キャビティ２２０内に設置されているため、放熱コップ２１との絶縁を実現する。上記スリーブ２２は、上部の外側壁２２１が上記本体２１１の内側壁２１２に密着してかつ接続され、その下部が接続部２２３である。上記接続部２２３の下部は、ライトヘッド１に接続されている。上記スリーブ２２から突出した内側壁にさらに少なくとも二本の組立柱２２４が設置されている。組立孔は、上記組立柱２２４に設けられ、光源モジュール４を締結部材５により上記スリーブ２２に固定するために上記締結部材５に対応して設置されている。他の実施例において、上記組立柱２２４がスリーブ２２の外側壁に設置されてもよい。上記締結部材５は、ピン、螺子等であってもよい。本実施例において、好ましくは螺子である。上記光源モジュール４は、光源板と、上記光源板に溶接されてかつ電気的に接続されるためのソケット端末と、ＬＥＤ光源と、を含む。上記駆動モジュール３に上記ソケット端子とセットで使用するプラグ端子が設けられている。組立過程に、プラグ端子とソケット端子との接続により、駆動モジュール３と光源モジュール４との間の電気的な接続を実現する。
【００１４】
図４から図８に示されているように、上記本体２１１の底部に上記放熱コップ２１の内側壁２１２から突出してかつ一体になるように上記本体２１１の底部に接続されている留め金２１５が設けられている。上記スリーブ２２の外側壁２２１に環状溝２２２が設けられている。上記留め金２１５は、上記環状溝２２２内に接続されている。製品の製造過程において、予め放熱コップ２１を金型に置き、一体成形のプラスチック射出プロセスによりスリーブ２２と放熱コップ２１は、しっかりに一体に接続される。上記本体２１１の断面の内環線２１６が円形ではない。本実施例において、上記本体２１１の断面の内環線２１６が楕円形である。上記本体２１１の断面の内環線２１６が楕円形であるため、形成された上記本体２１１の内側壁２１２が非回転面であり、かつ上記スリーブ２２の上部の外側壁２２１が上記本体２１１の内側壁２１２に密着して接続されているため、スリーブ２２と放熱コップ２１との間に相対的に回転しない。ある程度の緩みがあっても、スリーブ２２と放熱コップ２１との間に相対的に回転しにくくなる。
【００１５】
図１から図８に示されているように、放熱コップ２１の内側壁２１２及び外側壁は、大体上から下に内側へ傾斜する収縮状態を呈するため、内側へ傾斜する内側壁２１２を形成する。放熱コップ２１の外側壁は、内側壁２１２より収縮程度が大きいため、できるだけ放熱コップ２１の収納空間を増やす。それによって、上記スリーブ２２は、上部がより大きな空間を備え、より大きなパワーを有する駆動モジュール３を収納することができる。
【００１６】
図１から図９に示されているように、本実施例は、実施例１によるＬＥＤライトの構造組成と同じである。上記本体２１１ａの断面の内環線２１６ａが円形ではなく、多角形である。実際に、上記本体２１１ａの内側壁２１２ａは、複数の逆さま台形で構成されている。全体的に、本体２１１ａの内側壁２１２ａも非回転面であり、かつ上記スリーブの上部の外側壁が上記本体２１１ａの内側壁２１２に密着して接続されているため、スリーブと放熱コップ２１ａとの間に相対的に回転しない。ある程度の緩みがあっても、スリーブと放熱コップ２１ａとの間に相対的に回転しにくくなる。留め金２１５ａの内環線が多角形に対応して設置されている。他の実施例において、留め金２１５ａの内環線が楕円形さらに不規則形状であってもよい。
【００１７】
上記は本考案の優れた実施例に過ぎず、本考案を制限するものではない。本考案の精神及び原則の内になされたあらゆる変更、等価取替及び改良等は、本考案の保護範囲内に含まれるはずである。
【符号の説明】
【００１８】
１  ライトヘッド                        ２１２、２１２ａ  内側壁
２  放熱部                                  ２１３  短冊部
３  駆動モジュール                  ２１４  放熱フィン
４  光源モジュール                  ２１５、２１５ａ  留め金
５  締結部材                              ２１６、２１６ａ  内環線
６  光透過型カバー                  ２２０  収納キャビティ
２１、２１ａ  放熱コップ        ２２１  外側壁
２２  スリーブ                          ２２２  環状溝
２１０  包囲部                          ２２３  接続部
２１１、２１１ａ  本体            ２２４  組立て柱
２１７  台面
【図１】
0003219812.tif 000003
【図２】
0003219812.tif 000004
【図３】
0003219812.tif 000005
【図４】
0003219812.tif 000006
【図５】
0003219812.tif 000007
【図６】
0003219812.tif 000008
【図７】
0003219812.tif 000009
【図８】
0003219812.tif 000010
【図９】
0003219812.tif 000011